(57)【要約】【課題】  引き込む光コードの配線の邪魔にならない引き出し構造を備えた光配線トレイを提供する。【解決手段】  アウタートレイ１は、外部から引き込む光ケーブル７のダム部を支持するケーブル支持部１１を左右端部に有し、アウタートレイ１に載置されるインナートレイ２は光コード同士を接続するための光アダプタ５を具備し、アウタートレイ１とインナートレイ２とは、インナートレイ２の左右に配置し、前後方向に延びた上下２本のスライド孔１３ａ，１３ｂを有する一対のスライド案内板３を介して連結され、アウタートレイ１は下部スライド孔１３ｂと係合し、インナートレイ２は上部スライド孔１３ａと係合してインナートレイ２を前方にスライド可能とした。【選択図】  図１
2008032843.tif 000002
【特許請求の範囲】
【請求項１】
設置対象に固定するための固定部を左右に備えたアウタートレイと、前方にスライド可能にアウタートレイに載置され、光コードを収容・処理するためのインナートレイとを有し、
アウタートレイはインナートレイに引き込む光ケーブルのダム部を支持するためのケーブル支持部を有すると共に、インナートレイは光コード同士を接続するための光成端手段或いはその支持部材を具備し、
アウタートレイとインナートレイとは、インナートレイの左右に配置され、前後方向に延びた上下２本のスライド孔を有する一対のスライド案内板を介して連結され、アウタートレイは前記２本のスライド孔のうち一方のスライド孔と係合し、インナートレイは他方のスライド孔と係合してインナートレイをスライド可能としたことを特徴とする光配線トレイ。
【請求項２】
スライド案内板は、光ケーブルから延びた光コード群を案内するための段部を外側に有し、該段部は２本のスライド孔の間に前後に亘り形成されて成る請求項１記載の光配線トレイ。
【請求項３】
ケーブル支持部は、固定部の外側部に配置されて成る請求項１又は２記載の光配線トレイ。
【請求項４】
アウタートレイとスライド孔との係合、及びインナートレイとスライド孔との係合は、ショルダーボルトとショルダーボルトに樹脂製リングを外装して実施される請求項１乃至３の何れかに記載の光配線トレイ。
【発明の詳細な説明】
【技術分野】
【０００１】
本発明は、光コードの接続部や分岐部を整理して収納するために光配線盤等で使用される光配線トレイに関する。
【背景技術】
【０００２】
光配線盤に導入された光ケーブルから光ファイバコード（光コード）を引き出し、別途配設された光コード等に分岐接続する場合、光配線トレイが使用される。光コード同士を接続する場合、通常成端する為の光アダプタが使用され、光アダプタを介して光コネクタ同士が接続される。そのため、光配線トレイは、光アダプタを備えていたり、それを保持するためのコネクタ部支持部材を有し、更に光コードの余長分を収容するための空間が設けられている。
このような光配線トレイは、多数の光ケーブルに対して接続操作する場合、複数の光配線トレイが使用され、重ねるように光配線盤等の中に収容される。そのため、接続・配線操作をし易くするために個々の光配線トレイを引き出し可能に構成されたものがある（例えば、特許文献１参照）。
【特許文献１】特開平８−２４８２３５号公報
【発明の開示】
【発明が解決しようとする課題】
【０００３】
上記特許文献１の構成の場合、トレイの左右をガイド棒に支持して前方にスライド可能としているため、上下に配置した複数の光配線トレイを近接させて重ねてもトレイを引き出すことで配線や接続作業がし易い。しかし、スライド量がガイド棒の長さで決定されるため、作業し易い位置まで引き出すためにはその位置までシャフトを伸ばさなければならなかった。そのため、左右に設けたシャフトが配線の邪魔になる問題があった。
そこで、本発明はこのような問題点に鑑み、光コード配線の邪魔にならない引き出し構造を備えた光配線トレイを提供することを目的とする。
【課題を解決するための手段】
【０００４】
上記課題を解決する為に、請求項１の発明に係る光配線トレイは、設置対象に固定するための固定部を左右に備えたアウタートレイと、前方にスライド可能にアウタートレイに載置され、光コードを収容・処理するためのインナートレイとを有し、アウタートレイは、インナートレイに引き込む光ケーブルのダム部を支持するためのケーブル支持部を有すると共に、インナートレイは、光コード同士を接続するための光成端手段或いはその支持部材を具備し、アウタートレイとインナートレイとは、インナートレイの左右に配置し、前後方向に延びた上下２本のスライド孔を有する一対のスライド案内板を介して連結され、アウタートレイは前記２本のスライド孔のうち一方のスライド孔と係合し、インナートレイは他方のスライド孔と係合してインナートレイをスライド可能としたことを特徴とする。
この構成により、トレイの側部で光ケーブルのダム部を保持できるので、光ケーブルの導入及び光コードの接続操作をスムーズに行うことができる。また、スライド孔を２段に重ねるように設けるのでインナートレイの引き出し量に比べてスライド案内板の長さを短くでき、インナートレイを前方にスライドした際にスライド案内板も前方に移動するので、インナートレイの左右後部に光コード配設空間を設けることができ、スライド案内板が配線の障害になるようなことがない。
【０００５】
請求項２の発明は請求項１に記載の発明において、スライド案内板は、光ケーブルから延びた光コード群を案内するための段部を外側に有し、該段部は２本のスライド孔の間に前後に亘り形成されて成ることを特徴とする。
この構成により、インナートレイのスライド操作を実施しても導入された光コード群を良好に案内することができる。
【０００６】
請求項３の発明は、請求項１又は２に記載の発明において、ケーブル支持部は、固定部の外側部に配置されて成ることを特徴とする。
この構成により、アウタートレイ上をインナートレイの載置及び光コードの収容に有効し利用できるし、光ケーブルの導入操作がし易い。
【０００７】
請求項４の発明は、請求項１乃至３の何れかに記載の発明において、アウタートレイとスライド孔との係合、及びインナートレイとスライド孔との係合は、ショルダーボルトとショルダーボルトに樹脂製リングを外装して実施されることを特徴とする。
この構成により、インナートレイのスムーズな引き出し操作を実現できる。
【発明の効果】
【０００８】
本発明によれば、トレイの側部で光ケーブルのダム部を保持できるので、光ケーブルの導入及び光コードの接続操作をスムーズに行うことができる。また、スライド孔を２段に重ねるように設けるのでインナートレイの引き出し量に比べてスライド案内板の長さを短くでき、インナートレイを前方にスライドした際にスライド案内板も前方に移動するので、インナートレイの左右後部に光コード配設空間を設けることができる。
更に、スライド案内板に設けた段部により、導入された光ケーブルが良好に案内され、インナートレイのスライド操作により、光ケーブルにストレスが加わるようなことがない。
【発明を実施するための最良の形態】
【０００９】
以下、本発明を具体化した実施の形態を、図面に基づいて詳細に説明する。図１は本発明に係る光配線トレイを示し、１はアウタートレイ、２はインナートレイ、３はスライド案内板、４は導入した光コード群を保護する保護チューブ、５は光コネクタ同士を連結するための光アダプタ、６はトレイを収容して固定する光配線盤等の内部支柱であり、図１はインナートレイを引き出した状態を示している。尚、７は導入する光ケーブルを示している。
【００１０】
アウタートレイ１は、中央部にインナートレイ２を載置するための平坦な載置面１ａを有し、取り付け対象の支柱６等に固定するための固定部１０を左右に備え、その固定部１０の更に左右外側には導入した光ケーブル７のダム部を保持するための光ケーブル支持部１１が形成されている。この光ケーブル支持部１１は、後方から導入した光ケーブル７のダム部を載置する載置部１１ａと結束部材で結束するためのバンド挿通溝１１ｂを有している。尚、この光ケーブル支持部１１は、アウタートレイ１の本体にボルト止めされて取り外し可能に形成され、設置対象に取り付け空間が無い場合は取り外すことが可能となっている。
【００１１】
インナートレイ２は平坦な底板２ａと、アウタートレイ１との連結面となる左右側板２ｂと、前方を閉塞するための前面板２ｃとを有し、左右後方及び上方は開放されている。そして、内部の略中央に保護チューブ４に保護されて後方からインナートレイ２内に案内された光コード（図示せず）同士を連結する為の光アダプタ５のアレイが前後方向に配置され、左右方向から光コードに設けた光コネクタ（図示せず）を接続するよう構成されている。
【００１２】
図２はインナートレイ２とスライド案内板３のみ示す分解図、図３はアウタートレイ１とスライド案内板３のみ示す分解図である。スライド案内板３は、インナートレイ２に係合する上部スライド孔１３ａとアウタートレイ１に係合する下部スライド孔１３ｂとを有し、双方のスライド孔１３は段部１４を介して平行に形成されている。この段部１４は、スライド案内板３のほぼ中央部に前後に亘り平坦な面を形成している。このように段部１４を設けることで、図１に示すように結束された光コード群である保護チューブ４を載置して保持し、インナートレイ２への導入を案内支持する案内段部として作用している。
尚、図２において、２０はインナートレイ２をアウタートレイ１に固定する際に使用するラッチ部材である。
【００１３】
一方、図３において１６はアウタートレイ１をスライド案内板３に係合させるための係合枠であり、下部にアウタートレイ１に固着する固着片１６ａを有し、固着片１６ａから起立形成され、スライド案内板３に係合する摺動片１６ｂとその上部を折り曲げた保持片１６ｃとから構成されている。保持片１６ｃはスライド案内板３の段部に係合するよう形成され、アウタートレイ１の載置面１ａと共にスライド案内板３の傾倒を防止している。
【００１４】
そして、インナートレイ２とスライド案内板３の上部スライド孔１３ａとはショルダーボルト１７により係合し、インナートレイ２の側板に設けたねじ孔１８に側方からショルダーボルト１７がスライド案内板３及び樹脂製リング１９を介して螺入されている。また、スライド案内板３と係合枠１６も同様にショルダーボルト２２により係合し、ショルダーボルト２２が、スライド案内板３、樹脂製リング２３を介して係合枠１６に設けたねじ孔２４に螺入されている。
【００１５】
図４は、アウタートレイ１に固着された係合枠１６とスライド案内板３とインナートレイ２との関係を示す断面説明図であり、この図に示すようにスライド案内板３は段部１４を中央に有して上部スライド孔１３ａと下部スライド孔１３ｂが段違いに形成されている。こうして、側方に突出するように形成された下部スライド孔形成部を把持するように係合枠１６が配置されるので、スライド案内板３はスムーズなスライドを実施でき、その結果上部ガイド孔１３ａに案内されたインナートレイ２はスムーズなスライドを実施できる。
また、段部１４により導入された光ケーブルから延びた光コード群（保護チューブ４）が保持され、後方に案内される。
【００１６】
図５は、インナートレイ２をアウタートレイ１内に収納した状態を示す平面説明図であり、この図５に示すように、保護チューブ４により保護された光コード群（保護チューブ４）はスライド案内板３の段部１４に保持され後部に案内され、後方からインナートレイ２内部に導入される。その後、光コネクタを設けて光アダプタ５に接続され、左右から配設された光コードは互いに連結される。また、光コードの余長分は空間Ａ１，Ａ２に収容される。
【００１７】
このように、トレイの側部で光ケーブルのダム部を保持できるので、光ケーブルの導入及び光コードの接続操作をスムーズに行うことができる。また、スライド孔を２段に重ねるように設けるのでインナートレイの引き出し量に比べてスライド案内板の長さを短くでき、インナートレイを前方にスライドした際にスライド案内板も前方に移動するので、インナートレイの左右後部に光コード配設空間を設けることができ、スライド案内板が配線の障害にならない。
また、前後に亘り設けられた段部により、導入された光コード群が良好に案内され、インナートレイのスライド操作により、光コードにストレスが加わるようなことがないし、光ケーブル支持部は、固定部の外側に設けられるので、光ケーブルの導入操作がし易いし、アウタートレイ内をインナートレイの載置及び光コードの収容に有効し利用できる。
更に、スライド案内板とインナートレイ及びアウタートレイは、樹脂リングとショルダーボルトにより係合されるのでインナートレイのスムーズな引き出し操作を実現できる。
【００１８】
尚、上記実施形態は、インナートレイ２に光コードを成端して接続するための光アダプタ５を設けた構成となっているが、光アダプタを設けずに光コード接続部を支持する支持部材のみ設ける構成としても良い。また、スライド案内板３の上部スライド孔１３ａを下部スライド孔１３ｂより短くしているが、長さを合わせても良い。
更に、光コード群として保護チューブ４を示しているが、保護チューブ４は必ずしも使用しなくても良い。
【図面の簡単な説明】
【００１９】
【図１】本発明に係る光配線トレイの実施形態の一例を示す斜視図である。
【図２】図１のインナートレイとスライド案内板のみ示した分解図である。
【図３】図１のアウタートレイに固着した係合枠とスライド案内板のみ示した分解図である。
【図４】図１のスライド案内板を中心とした要部断面説明図である。
【図５】図１の光配線トレイの平面説明図であり、インナートレイを収納した状態を示している。
【符号の説明】
【００２０】
１・・アウタートレイ、２・・インナートレイ、３・・スライド案内板、４・・保護チューブ（光コード群）、７・・光ケーブル、１０・・固定部、１１・・光ケーブル支持部、１３（１３ａ，１３ｂ）・・スライド孔、１４・・段部、１６・・係合枠、１７・・ショルダーボルト、１９・・樹脂製リング、２２・・ショルダーボルト、２３・・樹脂製リング。
【図１】
2008032843.tif 000003
【図２】
2008032843.tif 000004
【図３】
2008032843.tif 000005
【図４】
2008032843.tif 000006
【図５】
2008032843.tif 000007